(57)【要約】【課題】印刷物の複製物を作成するに際し、容易に原寸大のサイズに戻すことを可能にする。【解決手段】印刷装置１は、印刷対象画像に画像処理を施す画像処理部１１と、画像処理部１１から画像処理を施した後の画像を入力し印刷する印刷部１２と、を備える。画像処理部１１は、印刷部１２にて印刷対象画像の印刷を実行する場合、上記画像処理として、倍率情報を上記印刷対象画像又は上記印刷対象画像の変倍画像に合成し、印刷部１２に出力する。【選択図】図１
2015144371.tif 000002
【特許請求の範囲】
【請求項１】
印刷対象画像に画像処理を施す画像処理部と、該画像処理部から該画像処理を施した後の画像を入力し印刷する印刷部と、を備えた印刷装置であって、
前記画像処理部は、前記印刷部にて前記印刷対象画像の印刷を実行する場合、前記画像処理として、倍率情報を前記印刷対象画像又は前記印刷対象画像の変倍画像に合成し、前記印刷部に出力することを特徴とする印刷装置。
【請求項２】
前記画像処理として前記倍率情報を前記変倍画像に合成する場合、前記倍率情報は、前記印刷対象画像から前記変倍画像への変倍時の変倍率又は該変倍率の逆数を示す情報とすることを特徴とする請求項１に記載の印刷装置。
【請求項３】
前記倍率情報を印刷するか否かをユーザ操作に基づき設定する設定部をさらに備えたことを特徴とする請求項１又は２に記載の印刷装置。
【請求項４】
原稿に印刷された原稿画像を光学的に読み取る原稿読取部と、
該原稿読取部で読み取った該原稿画像から前記倍率情報を抽出する情報抽出部と、
をさらに備え、
前記画像処理部は、前記情報抽出部で前記倍率情報が抽出された場合、前記画像処理として、前記倍率情報に基づき原寸大のサイズになるように前記原稿画像を変倍することで、原寸大画像を生成し、前記印刷部に出力することを特徴とする請求項１〜３のいずれか１項に記載の印刷装置。
【請求項５】
印刷対象画像に画像処理を施す画像処理部と、該画像処理部から該画像処理を施した後の画像を入力し印刷する印刷部と、を備えた印刷装置であって、
前記印刷対象画像として、原稿に印刷された原稿画像を光学的に読み取る原稿読取部と、
該原稿読取部で読み取った該原稿画像から倍率情報を抽出する情報抽出部と、
をさらに備え、
前記画像処理部は、前記情報抽出部で前記倍率情報が抽出された場合、前記画像処理として、前記倍率情報に基づき原寸大のサイズになるように前記原稿画像を変倍することで、原寸大画像を生成し、前記印刷部に出力することを特徴とする印刷装置。
【請求項６】
前記原寸大画像は、前記画像処理部により前記倍率情報が消去された画像であることを特徴とする請求項４又は５に記載の印刷装置。
【請求項７】
前記倍率情報は予め規定された所定サイズで印刷され、
前記画像処理部は、前記情報抽出部で前記倍率情報が抽出された場合、前記画像処理として、前記倍率情報及び前記所定サイズに基づき、前記原寸大画像を生成し、前記印刷部に出力することを特徴とする請求項４〜６のいずれか１項に記載の印刷装置。
【請求項８】
前記倍率情報は、ＱＲコード又はバーコードとして印刷されることを特徴とする請求項１〜７のいずれか１項に記載の印刷装置。
【請求項９】
印刷対象画像の印刷を実行する場合、画像処理部が、倍率情報を前記印刷対象画像又は前記印刷対象画像の変倍画像に合成する画像処理ステップと、
印刷部が、前記画像処理ステップで処理後の画像を入力し印刷する印刷ステップと、
を有することを特徴とする印刷方法。
【請求項１０】
印刷装置における印刷方法であって、
該印刷装置の原稿読取部が、原稿に印刷された原稿画像を光学的に読み取る原稿読取ステップと、
前記印刷装置の情報抽出部が、前記原稿読取ステップで読み取った前記原稿画像から倍率情報を抽出する情報抽出ステップと、
前記情報抽出ステップで前記倍率情報が抽出された場合、前記印刷装置の画像処理部が、前記倍率情報に基づき原寸大のサイズになるように前記原稿画像を変倍することで、原寸大画像を生成する画像処理ステップと、
前記印刷装置の印刷部が、前記原寸大画像を入力し印刷する印刷ステップと、
を有することを特徴とする印刷方法。
【発明の詳細な説明】
【技術分野】
【０００１】
本発明は、印刷装置、及びその印刷装置における印刷方法に関する。
【背景技術】
【０００２】
従来から、印刷装置では原稿読取装置で読み取った原稿の画像を拡大又は縮小して印刷することが可能となっている。例えば、特許文献１には、拡大倍率及び使用する用紙のサイズをユーザが入力し、入力された拡大倍率及びサイズに基づき原稿の画像を分割して印刷する技術が開示されている。
【先行技術文献】
【特許文献】
【０００３】
【特許文献１】特開２００５−２２３８３３号公報
【発明の概要】
【発明が解決しようとする課題】
【０００４】
ところで、書籍等の出版物をはじめとする原稿をコピーする際やＰＣ（Personal Computer）から画像データを印刷する際に、指定サイズの用紙に収まるように縮小又は拡大した印刷物など、印刷対象原稿が変倍印刷された印刷物について、ユーザがその印刷物を二次的にコピーすることで複製物を作成する場合に、縮小又は拡大されて掲載されているものを原寸大（元の寸法）に戻したいときがある。
【０００５】
しかしながら、特許文献１に記載の技術を含む従来技術では、変倍印刷された印刷物が元原稿に対してどのような倍率で印刷されたものであるのかについて、更には変倍印刷されているか或いは原寸大で印刷されたものであるのかについて、ユーザが印刷結果を見ただけで判断できるものではない。
【０００６】
よって、従来技術では、原寸大ではない印刷物を二次的にコピーするに際して元原稿の原寸大の印刷結果を得たい場合には、ユーザは別の情報を頼りに倍率を決めてコピー操作を行う必要がある。さらに、その場合、コピーを実施する際に手動で倍率を設定することとなるが、適切なサイズの複製物が手に入るまで何度も変倍率を変えながらコピーをやり直す必要が生じることもある。
【０００７】
本発明は、上述のような実状に鑑みてなされたものであり、その目的は、印刷物の複製物を作成するに際し、容易に原寸大のサイズに戻すことを可能にすることにある。
【課題を解決するための手段】
【０００８】
上記の課題を解決するために、本発明の第１の技術手段は、印刷対象画像に画像処理を施す画像処理部と、該画像処理部から該画像処理を施した後の画像を入力し印刷する印刷部と、を備えた印刷装置であって、前記画像処理部は、前記印刷部にて前記印刷対象画像の印刷を実行する場合、前記画像処理として、倍率情報を前記印刷対象画像又は前記印刷対象画像の変倍画像に合成し、前記印刷部に出力することを特徴としたものである。
【０００９】
本発明の第２の技術手段は、第１の技術手段において、前記画像処理として前記倍率情報を前記変倍画像に合成する場合、前記倍率情報は、前記印刷対象画像から前記変倍画像への変倍時の変倍率又は該変倍率の逆数を示す情報とすることを特徴としたものである。
【００１０】
本発明の第３の技術手段は、第１又は第２の技術手段において、前記倍率情報を印刷するか否かをユーザ操作に基づき設定する設定部をさらに備えたことを特徴としたものである。
【００１１】
本発明の第４の技術手段は、第１〜第３のいずれか１の技術手段において、原稿に印刷された原稿画像を光学的に読み取る原稿読取部と、該原稿読取部で読み取った該原稿画像から前記倍率情報を抽出する情報抽出部と、をさらに備え、前記画像処理部は、前記情報抽出部で前記倍率情報が抽出された場合、前記画像処理として、前記倍率情報に基づき原寸大のサイズになるように前記原稿画像を変倍することで、原寸大画像を生成し、前記印刷部に出力することを特徴としたものである。
【００１２】
本発明の第５の技術手段は、印刷対象画像に画像処理を施す画像処理部と、該画像処理部から該画像処理を施した後の画像を入力し印刷する印刷部と、を備えた印刷装置であって、前記印刷対象画像として、原稿に印刷された原稿画像を光学的に読み取る原稿読取部と、該原稿読取部で読み取った該原稿画像から倍率情報を抽出する情報抽出部と、をさらに備え、前記画像処理部は、前記情報抽出部で前記倍率情報が抽出された場合、前記画像処理として、前記倍率情報に基づき原寸大のサイズになるように前記原稿画像を変倍することで、原寸大画像を生成し、前記印刷部に出力することを特徴としたものである。
【００１３】
本発明の第６の技術手段は、第４又は第５の技術手段において、前記原寸大画像は、前記画像処理部により前記倍率情報が消去された画像であることを特徴としたものである。
【００１４】
本発明の第７の技術手段は、第４〜第６のいずれか１の技術手段において、前記倍率情報は予め規定された所定サイズで印刷され、前記画像処理部は、前記情報抽出部で前記倍率情報が抽出された場合、前記画像処理として、前記倍率情報及び前記所定サイズに基づき、前記原寸大画像を生成し、前記印刷部に出力することを特徴としたものである。
【００１５】
本発明の第８の技術手段は、第１〜第７のいずれか１の技術手段において、前記倍率情報は、ＱＲコード（登録商標、以下同様）又はバーコードとして印刷されることを特徴としたものである。
【００１６】
本発明の第９の技術手段は、印刷方法において、印刷対象画像の印刷を実行する場合、画像処理部が、倍率情報を前記印刷対象画像又は前記印刷対象画像の変倍画像に合成する画像処理ステップと、印刷部が、前記画像処理ステップで処理後の画像を入力し印刷する印刷ステップと、を有することを特徴としたものである。
【００１７】
本発明の第１０の技術手段は、印刷装置における印刷方法であって、該印刷装置の原稿読取部が、原稿に印刷された原稿画像を光学的に読み取る原稿読取ステップと、前記印刷装置の情報抽出部が、前記原稿読取ステップで読み取った前記原稿画像から倍率情報を抽出する情報抽出ステップと、前記情報抽出ステップで前記倍率情報が抽出された場合、前記印刷装置の画像処理部が、前記倍率情報に基づき原寸大のサイズになるように前記原稿画像を変倍することで、原寸大画像を生成する画像処理ステップと、前記印刷装置の印刷部が、前記原寸大画像を入力し印刷する印刷ステップと、を有することを特徴としたものである。
【発明の効果】
【００１８】
本発明によれば、印刷物の複製物を作成するに際し、容易に原寸大のサイズに戻すことが可能になる。
【図面の簡単な説明】
【００１９】
【図１】本発明の第１の実施形態に係る印刷装置の一構成例を示すブロック図である。
【図２】図１の印刷装置における操作部の一例を示す外観図である。
【図３】図１の印刷装置における印刷処理の一例を説明するためのフロー図である。
【図４Ａ】図１の印刷装置の操作部で表示させるコピーモード時のＵＩ画像の一例を示す図である。
【図４Ｂ】図４ＡのＵＩ画像において倍率ボタンをタッチした場合に表示されるＵＩ画像の一例を示す図である。
【図５Ａ】コピーの対象となる原稿の一例を示す図である。
【図５Ｂ】図１の印刷装置で図５Ａの原稿を縮小コピーした際の印刷用紙の一例を示す図である。
【図６】図１の印刷装置における印刷処理の他の例を説明するためのフロー図である。
【図７Ａ】図１の印刷装置の操作部で表示させるドキュメントファイリングモード時のＵＩ画像の一例を示す図である。
【図７Ｂ】図７ＡのＵＩ画像において標準フォルダボタンをタッチした場合に表示されるＵＩ画像の一例を示す図である。
【図８】図６の印刷処理において印刷対象画像に原稿サイズが規定されていない場合に表示させるＵＩ画像の一例を示す図である。
【図９】本発明の第２の実施形態に係る印刷装置の一構成例を示すブロック図である。
【図１０】図９の印刷装置における印刷処理の一例を説明するためのフロー図である。
【図１１】本発明の第３の実施形態に係る印刷装置で図５Ｂの原稿をさらに縮小コピーした際の印刷用紙の一例を示す図である。
【図１２】本発明の第４の実施形態に係る印刷処理の一例を説明するためのフロー図である。
【図１３】図１２の印刷処理においてＰＣ側で表示させるＵＩ画像の一例を示す図である。
【発明を実施するための形態】
【００２０】
本発明に係る印刷装置は、画像処理部及び印刷部を備える。本発明に係る印刷装置としては、複合機（ＭＦＰ）、単機能のプリンタ機器、単機能のコピー機などが挙げられる。また、本発明に係る印刷方法としては、このような印刷装置での印刷方法、並びにコンピュータからの印刷方法が挙げられる。以下、本発明の様々な実施形態について、図面を参照しながら説明する。
【００２１】
（第１の実施形態）
本発明の第１の実施形態について、図１〜図８を参照しながら説明する。図１は、本実施形態に係る印刷装置の一構成例を示すブロック図で、図２は、図１の印刷装置における操作部の一例を示す外観図である。
【００２２】
本実施形態に係る印刷装置１は、その全体を制御する制御部１０を備えると共に、画像処理部１１、印刷部１２、操作部１３、原稿読取部１４、通信部１５、及び外部メモリ接続部１６を備える。
【００２３】
制御部１０は、プログラム保存領域に印刷装置１の全体を制御するための制御プログラム（ファームウェア）を格納し、その制御プログラムを動作させることで各種制御を行う。例えば制御部１０は、ＣＰＵ（Central Processing Unit）又はＭＰＵ（Micro Processing Unit）、作業領域としてのＲＡＭ（Random Access Memory）、及び上記制御プログラムや各種設定内容を記憶した記憶装置などの制御デバイスで構成することができ、集積回路／ＩＣチップセットとして搭載することもできる。この記憶装置としては、フラッシュＲＯＭ（Read Only Memory）、ＥＥＰＲＯＭ（Electrically Erasable and Programmable  ＲＯＭ）、ＨＤＤ（Hard Disk Drive）等が挙げられ、画像を保存するためのＨＤＤ等の記憶部（図示せず）を利用することもできる。
【００２４】
画像処理部１１は、印刷対象画像に画像処理を施す部位である。この画像処理には、後述する本発明に係る倍率情報合成処理が含まれるほか、画像処理部１１に入力される印刷対象画像が印刷部１２で印刷可能な形式でない場合にその形式に変換する処理も含まれる。画像処理部１１自体も、制御部１０と同様にファームウェアにより動作させる制御デバイスで構成することができ、集積回路／ＩＣチップセットとして搭載することもできる。また、画像処理部１１は、ＡＳＩＣ（Application Specific Integrated Circuit）として印刷装置１に搭載することができる。
【００２５】
印刷部１２は、画像処理部１１から画像（画像処理を施した後の画像）を入力し、その画像を印刷用紙等に印刷する部位で、電子写真方式、インクジェット方式など印字方式は問わない。
【００２６】
操作部１３は、ユーザからの操作入力を受け付けるための部位で、図２で例示するようにキー操作部１３ａ及びタッチパネル部１３ｂを有する。ユーザは、操作部１３から、印刷装置１を使用する際に設定値等を入力したり、処理を実行させたりすることが可能となっている。
【００２７】
キー操作部１３ａは、ユーザ操作を受け付けるためのハードウェアキーであり、図２では、電源キー、節電キー、及びホーム画面への移行キーを設けた例を挙げているが、これに限らず、コピー開始のためのスタートキーや数字を入力するための数字キー群など他のキーを設けてもよい。
【００２８】
タッチパネル部１３ｂは、液晶ディスプレイや有機エレクトロルミネッセンスディスプレイ等の表示部と、ユーザによるその表示部の表示領域上でのタッチ操作を検出するタッチセンサ部とで構成される。タッチセンサ部として設けるセンサとしては、例えば静電容量方式のセンサや抵抗膜方式のセンサなどが挙げられる。
【００２９】
この表示部にはＵＩ（User Interface）画像が表示され、表示されたＵＩ画像に対してタッチセンサ部でタッチが検出された場合、そのタッチ位置に対応するＵＩ画像内の画像が示す処理が実行されると共に、必要に応じてＵＩ画像の遷移がなされる。初期画面に表示させるＵＩ画像としては、例えば図２で示すＵＩ画像２０が挙げられる。ＵＩ画像２０は、印刷装置１がＭＦＰの場合の例であり、コピー機能選択ボタン（コピーモード選択ボタン）２１、ドキュメントファイリング機能選択ボタン（ドキュメントファイリングモード選択ボタン）２２、スキャン保存機能選択ボタン（スキャン保存モード選択ボタン）２３など、印刷装置１に設けられた機能を使用するためのボタンがユーザ選択可能に表示されている。なお、例えばホーム画面への移行キーのように、ハードウェアキーの押下操作によってもＵＩ画像の遷移などが可能に構成することができる。
【００３０】
原稿読取部１４は、読取対象となる原稿（用紙）を載置する原稿台の下面に設けられ、原稿台に載置された用紙上の原稿画像を光学的に読み取り、画像処理部１１に渡すための部位であり、スキャナ部とも呼ばれる。
【００３１】
また、印刷装置１には、原稿台の上にＡＤＦ（Auto Document Feeder）を設けることもできる。ＡＤＦは、原稿を自動搬送するための装置であり、自動搬送された原稿の画像が原稿読取部１４で読み取られることになる。無論、ＡＤＦに別途原稿読取部１４を設けておいてもよい。ここで、ＡＤＦとしては、ＳＰＦ（Single Pass Feeder）やＲＳＰＦ（Reverse Pass Feeder）などと呼ばれる装置も含まれるものとする。
【００３２】
通信部１５は、外部のＰＣ（Personal Computer）やサーバ装置などと通信するための有線のネットワークインターフェースである。なお、サーバ装置としては、ＦＴＰ（File Transfer Protocol）やそれから派生したプロトコルを用いたサーバ装置などが挙げられる。印刷装置１は、通信部１５でＰＣから印刷ジョブを受信することや、通信部１５を介してサーバ装置にアクセスしてファイルを印刷のために取得することなどが可能となっている。
【００３３】
外部メモリ接続部１６は、印刷装置１にUniversal Serial Bus（ＵＳＢ：登録商標、以下同様）メモリ等の外部メモリを接続するための接続インターフェースである。印刷装置１は、外部メモリ接続部１６を介して外部メモリに格納されたファイルを印刷のために取得することが可能になっている。
【００３４】
印刷装置１は、このような構成により、原稿読取部１４で読み取った原稿の画像を印刷すること、外部から通信部１５や外部メモリ接続部１６を介して受信した画像を印刷すること、図示しない記憶部に記憶された画像を読み出して印刷することなどが可能となっている。
【００３５】
そして、本実施形態の主たる特徴として、画像処理部１１は、印刷部１２にて印刷対象画像の変倍印刷を実行する場合、上記画像処理として、印刷対象画像を変倍することで変倍画像を生成すると共に、上記変倍印刷の変倍率を示す倍率情報をその変倍画像に合成し、印刷部１２に出力する。つまり、画像処理部１１は、画像処理として変倍処理のほかに倍率情報合成処理も行うことが可能に構成されている。印刷部１２では、倍率情報が合成された変倍画像を印刷する。
【００３６】
ここで、印刷対象画像としては、上述のように、原稿読取部１４で読み取られた原稿画像、通信部１５や外部メモリ接続部１６を介して受信した画像、図示しない記憶部に記憶された画像などが挙げられる。なお、本実施形態における印刷装置１は、原稿読取部１４、通信部１５、外部メモリ接続部１６、上記記憶部のうち一部又は全部を具備しなくてもよいが、少なくとも印刷対象画像を入手できる経路を有していればよい。この経路は、例えば携帯電話機（スマートフォンと呼ばれるものを含む）と近距離無線通信を行う無線通信部を具備するなどによっても確保することができる。
【００３７】
また、変倍印刷としては、拡大印刷であっても縮小印刷であってもよい。また、倍率情報は、変倍画像に合成されて最終的に印刷部１２で印刷されることとなるため、変倍率を示す画像（以下、倍率画像と呼ぶ）として合成することができる。
【００３８】
また、倍率情報としては、変倍率の代わりに、その変倍率の逆数を示す情報を採用することもできる。つまり、倍率情報は、どのような倍率で印刷されたのかを示す情報であっても、どのような倍率で印刷すれば原寸大に戻るのかを示す情報であってもよい。
【００３９】
また、倍率情報は、ＱＲコード又はバーコードとして印刷されることが好ましい。倍率情報として汎用的なコードを用いることで、本実施形態のような倍率情報合成処理を変倍印刷時に行う汎用処理として世間に浸透させていくことが容易になる。
【００４０】
ＱＲコードやバーコード以外にも、印刷する倍率情報としては、例えば文字情報（例えば“０．７倍（又は７０％）に縮小印刷”、“０．７倍（又は７０％）で縮小印刷済み”など）を採用することができる。また、例えば文字情報と同時に、ＱＲコード又はバーコードを印刷するようにしてもよい。また、文字情報を合成する場合、その変倍率がユーザに判読できる文字列に限らず、ＱＲコードやバーコード等と同様に読み取り時に復号が必要となるような文字列を合成することもできる。また、倍率情報は、黄色等の見えにくい色で印刷するようにしてもよい。
【００４１】
また、倍率情報の合成位置は、例えば印刷用紙の余白領域の予め定めた位置とするか、若しくは片面印刷時に限るが印刷用紙の裏面の任意の位置又は裏面の予め定めた位置とすることが望ましい。これにより、変倍画像に倍率情報が重なって印字されることを防ぐことができ、印刷対象画像を見えなくすることがないだけでなく、後述する倍率情報検出処理において誤検出を防ぐことができる。特に、倍率情報として文字情報を印刷する場合、印刷対象画像に含まれる文字群との区別をつけることができるため、倍率情報検出処理における誤認識を防ぐことができる。
【００４２】
以上、本実施形態によれば、変倍印刷された印刷物の複製物を作成するに際し、倍率情報が付加されて印刷されており、この倍率情報は二次的なコピーを行うときに印刷装置にて自動的に読み取らせることが可能であるため、容易にその変倍印刷前の原寸大に戻すことが可能になる。ここで、変倍印刷として拡大印刷がなされた場合には、その際に合成された倍率情報により縮小して原寸大に戻すことができる。一方で、変倍印刷として縮小印刷がなされた場合には、その際に合成された倍率情報により拡大して原寸大に戻すことができる。
【００４３】
次に、図３〜図５Ｂを参照しながら、原稿読取部１４からの出力を印刷対象画像とする場合（つまり、原稿を変倍コピーする場合）を例に挙げ、本実施形態に係る倍率情報合成処理を含む印刷処理の具体例について説明する。ここでは、倍率情報としてＱＲコードを合成する例を挙げるが、他の種類の倍率情報であっても同様である。
【００４４】
図３は、図１の印刷装置における印刷処理の一例を説明するためのフロー図である。また、図４Ａは、図１の印刷装置の操作部で表示させるコピーモード時のＵＩ画像の一例を示す図で、図４Ｂは、図４ＡのＵＩ画像において倍率ボタンをタッチした場合に表示されるＵＩ画像の一例を示す図である。また、図５Ａは、コピーの対象となる原稿の一例を示す図で、図５Ｂは、図１の印刷装置で図５Ａの原稿を縮小コピーした際の印刷用紙の一例を示す図である。
【００４５】
ユーザは、コピーを行う場合、まず図２のＵＩ画像２０のコピー機能選択ボタン２１をタッチする。そのタッチにより、図４Ａで例示したようなコピーモード用のＵＩ画像４０が表示される。ＵＩ画像４０には、設定ボタン群４１のほか、印刷部数を入力するための部数入力欄４２、各種動作を指定するための複数のボタンでなる動作指定ボタン群４３、印刷前のプレビュー画像を表示させるためのプレビュー表示ボタン４４、全ての設定をリセットするためのリセットボタン４５、白黒コピーをスタートさせるための白黒スタートボタン４６、及びカラーコピーをスタートさせるためのカラースタートボタン４７などが表示されている。
【００４６】
設定ボタン群４１には、原稿のサイズや種類に関する設定を行うための原稿設定ボタン４１ａ、コピーの倍率を設定するための倍率設定ボタン４１ｂ、及び用紙のサイズや種類に関する設定を行うための用紙設定ボタン４１ｃなどが含まれている。
【００４７】
本実施形態でのようにコピー時に変倍処理を行う場合、例えばユーザは倍率設定ボタン４１ｂをタッチする。タッチパネル部１３ｂは、そのタッチを受けて、図４Ｂで例示するような倍率設定用のＵＩ画像４６を、ＵＩ画像４０の代わりに又はＵＩ画像４０に重ねたポップアップ画像として表示させる。
【００４８】
ＵＩ画像４６には、縦横同じ倍率で印刷する際の倍率（基本倍率と呼ぶ）を設定するための基本倍率タブ４６ａが表示されている。ＵＩ画像４６の表示開始時、若しくは他の状態からユーザが基本倍率タブ４６ａをタッチした時、基本倍率の設定が可能になる。基本倍率タブ４６ａには、変倍率を規定の値で縮小する際に選択するためのボタン群４６ｅと、変倍率を規定の値で拡大する際に選択するためのボタン群４６ｇと、１００％にする（つまり非変倍にする）ための１００％ボタンとが表示されている。また、基本倍率タブ４６ａには、変倍率表示欄４６ｈと、変倍率表示欄４６ｈに表示された変倍率から縮小／拡大方向にズームすると共に変倍率表示欄４６ｈに表示する変倍率を変更するための−／＋ボタンでなるズームボタン４６ｉとが表示されている。ユーザはこれらのボタンにより基本倍率の設定を行う。
【００４９】
さらにＵＩ画像４６には、縦横で別々の倍率で印刷する際の倍率（縦横独立倍率と呼ぶ）を設定するためのたてよこ独立倍率タブ４６ｂ、及び、倍率を自動的に選択するための倍率自動選択ボタン４６ｃが表示されている。
【００５０】
倍率自動選択ボタン４６ｃがタッチされて後述のＯＫボタン４６ｄがタッチされた場合、原稿読取部１４で読み取られた原稿画像のサイズ、若しくは原稿設定ボタン４１ａのタッチによって表示された設定用ＵＩ画像でユーザに設定された原稿画像サイズと、印刷用紙サイズとに基づき、変倍率が決定される。ここで、印刷用紙サイズは、用紙設定ボタン４１ｃのタッチによって表示された設定用ＵＩ画像から、ユーザによって設定された印刷用紙のサイズである。倍率自動選択ボタン４６ｃがタッチされた場合、倍率を自動的に選択する設定とするが、この設定では基本的に縦横同じ倍率を前提として自動設定されるものとする。
【００５１】
さらにＵＩ画像４６には、タッチ時の設定内容で制御部１０内のメモリ等に保存し、ＵＩ画像４６を閉じて設定を完了させるためのＯＫボタン４６ｄも表示されている。ユーザが基本倍率タブ４６ａ、たてよこ独立倍率タブ４６ｂ、及び倍率自動選択ボタン４６ｃのいずれかから変倍率を設定し、ＯＫボタン４６ｄをタッチすることで、制御部１０にその設定内容が伝えられ、ＵＩ画像４６が閉じられてＵＩ画像４０に戻る。
【００５２】
そして、本実施形態では、基本倍率タブ４６ａに倍率情報の印刷の有無を選択するチェックボックス４６ｊが設けられている。ユーザがこのチェックボックス４６ｊをタッチしてチェックを入れた状態で設定を完了させると、印刷実行時に倍率情報が印刷されることになる。無論、倍率情報の印刷の有無は、縦横独立倍率設定時や倍率自動選択時にもユーザ選択可能にしておくことが好ましい。
【００５３】
図４Ｂで例示したように、印刷装置１は、倍率情報を印刷するか否かをユーザ操作に基づき設定する設定部を備えることが好ましい。この設定部は、図１では操作部１３及び制御部１０で例示したものであり、制御部１０内にその設定内容を記憶し、実行時に参照すればよい。また、この設定部での設定は、倍率情報を印刷するモードと印刷しないモードのうちいずれか１つを選ぶようなユーザ操作に基づいて実行するようにしてもよい。例えば、コピー機能選択ボタン２１と共に、倍率情報を印刷してコピーを実行するための倍率情報付きコピー機能選択ボタンをＵＩ画像２０に表示させておけばよい。
【００５４】
さらに、上記設定部では、倍率情報を印刷する場合でも、ＱＲコードを印刷するのか、バーコードを印刷するのか、文字情報を印刷するのか、などの倍率情報の種類もユーザ設定可能にしておいてもよい。その他、上記設定部では、倍率情報の色や位置もユーザ設定可能にしておいてもよい。
【００５５】
このようにして倍率設定操作等が完了してＵＩ画像４０に戻った後、ユーザが白黒スタートボタン４６又はカラースタートボタン４７のタッチを行うことで、コピー開始操作が制御部１０に伝えられる。原稿は、倍率設定操作等を行う前に（若しくは倍率設定操作等を行った後に）原稿台又はＡＤＦに載置しておけばよい。本処理例では、衣服の型紙５２が描かれた原稿５１をコピー対象として説明する。
【００５６】
制御部１０は、コピー開始操作を受けると、図３で例示する処理手順により各部を制御して印刷を実行させる。まず、制御部１０の制御に従い、原稿読取部１４が、印刷対象画像として原稿５１に印刷された原稿画像を光学的に読み取る（ステップＳ１）。
【００５７】
次に、制御部１０は、その原稿画像に基準間隔情報を付与する（ステップＳ２）。ここで、基準間隔情報とは、読み取り対象となった原稿のサイズ（原稿サイズ）を規定するための基準となる情報であり、縦方向、横方向についてそれぞれ１画素当たりの間隔（距離）を示す情報である。例えば、ＵＩ画像４０における原稿設定ボタン４１ａで設定された内容に従い、若しくは原稿サイズを自動判別した結果に従い、付与される。印刷対象画像が本処理例でのように原稿読取部１４で読み取った印刷対象画像である場合、基本的に縦方向と横方向とで同じ間隔をもち、この基準間隔情報は例えば４００ｄｐｉなどと表される、原稿読取部１４での読取解像度と同義となる。
【００５８】
制御部１０は、倍率自動選択ボタン４６ｃが選択されているか否か、すなわち変倍率が自動設定となっているか否かを判定する（ステップＳ３）。ステップＳ３でＹＥＳの場合、制御部１０は、タッチパネル部１３ｂに指示し、ユーザに印刷用紙サイズの選択を促すＵＩ画像（用紙設定ボタン４１ｃのタッチにより表示させるＵＩ画像）を表示させ、ユーザに選択させる（ステップＳ４）。無論、印刷用紙サイズはコピー開始操作前に予め設定しておくこともでき、その場合、ステップＳ４ではその設定内容を読み出せばよい。
【００５９】
次いで、制御部１０は、基準間隔情報と印刷用紙サイズから変倍率を演算し（ステップＳ５）、画像処理部１１に指示して原稿画像をその変倍率で変倍（拡大／縮小）させた変倍画像を生成させる（ステップＳ６）と共にその変倍率に基づき倍率情報（ＱＲコードで例示）を読み出すか新たに生成させ（ステップＳ７）、そのＱＲコードを変倍画像に合成させる（ステップＳ８）。なお、ステップＳ６の処理とステップＳ７の処理の順序は問わない。また、ステップＳ６の変倍処理の前にステップＳ７，Ｓ８により倍率情報を合成し、その後、変倍処理を実行することもできる。但し、その場合にはその変倍処理も加味した大きさで倍率情報を合成しておく必要がある。
【００６０】
また、合成後の変倍画像は制御部１０からの指示により画像処理部１１から印刷部１２に伝送される。最後に、制御部１０は、印刷部１２に指示してその合成後の変倍画像を印刷させ（ステップＳ９）、処理を終了する。
【００６１】
これにより、図５Ａの原稿５１を例えば７０％でコピーした場合には、図５Ｂで示す印刷物（複製物）５３が出力されることになる。印刷物５３には、型紙５２が７０％に縮小された縮小画像５４と共にＱＲコード５５が印刷されている。このような印刷処理により、例えば書籍に掲載された衣服の型紙を使用するために原寸大としてコピーしたい場合など、型紙と併せて印刷されている倍率情報（つまり縮尺率情報）を含んだＱＲコードがあれば、そのＱＲコードに基づき適切な倍率を自動的に判断して印刷することで、ユーザが倍率を指定しなくても原寸大の型紙が印刷できるようになる。
【００６２】
一方、ステップＳ３でＮＯの場合、制御部１０は、基本倍率タブ４６ａから予め設定された変倍率を読み出す（ステップＳ１０）。なお、ユーザによって予め設定されていない場合には、この時点でユーザに変倍率の入力を促すＵＩ画像（図４ＢのＵＩ画像４６のような画像）を表示させ、設定させればよい。
【００６３】
ステップＳ１０に続き、制御部１０は、印刷用紙サイズが自動設定となっているか否かを判定する（ステップＳ１１）。この自動設定は、例えば用紙設定ボタン４１ｃのタッチによって表示された設定用ＵＩ画像からユーザ操作により設定可能となっている。ステップＳ１１でＮＯの場合、制御部１０は、ステップＳ４と同様に印刷用紙サイズを選択し（ステップＳ１２）、ステップＳ６へ進む。ステップＳ１１でＹＥＳの場合には、そのままステップＳ６へ進む。
【００６４】
ステップＳ６以降の処理については上述した通りであり、同様に例えば印刷物５３のようなＱＲコード５５入りの印刷物を出力することができる。
また、ステップＳ３の直前、ステップＳ６の直後、ステップＳ８の直後などに通常のプレビュー画像を表示させてユーザが設定変更を行えるようにしてもよい。
【００６５】
また、本処理例のようにＱＲコードを付加して原稿をコピーして印刷物５３を生成した場合において、具体的にどのように原寸大に戻すかの処理については、第２、第３の実施形態として後述する。
【００６６】
また、印刷用紙サイズが手動で設定される場合、倍率自動設定時、倍率手動設定時のいずれにおいても、所謂「ポスター印刷」を実行するような印刷用紙サイズを選択可能としておいてもよい。ここで、ポスター印刷とは、複数枚の印刷用紙に分割して１つの原稿画像を印刷する印刷を指す。ポスター印刷時にＱＲコード等の倍率情報を印刷させる場合には、全ての印刷物に倍率情報を印刷しておき、その倍率情報に、印刷物のそれぞれの配置順を示す枝番など、複数枚の印刷物を並べる際の配置を示す情報（換言すれば、原寸大に戻す際にどの印刷物から読み込んだ画像をどのように配置させて原寸大の画像を組み立てるかを示す情報）を含めておけばよい。
【００６７】
逆に、倍率情報印刷時にはポスター印刷を禁止することもでき、その場合、ポスター印刷が必要なような印刷用紙サイズを選択できないようにすると共に、倍率手動設定時には例えば「これ以上の変倍率にするのであれば１枚の印刷用紙に収まり切れません。１枚に収まるような印刷用紙のサイズに設定してください。」などとメッセージを出せばよい。
【００６８】
次に、図６〜図８を併せて参照しながら、通信部１５や外部メモリ接続部１６を介して外部から受信した又は内部保存された印刷対象画像（印刷対象ファイル）を変倍印刷する場合を例に挙げ、本実施形態に係る倍率情報合成処理を含む印刷処理の他の具体例について説明する。ここでも、倍率情報としてＱＲコードを合成する例を挙げるが、他の種類の倍率情報であっても同様である。
【００６９】
図６は、図１の印刷装置における印刷処理の他の例を説明するためのフロー図である。また、図７Ａは、図１の印刷装置の操作部で表示させるドキュメントファイリングモード時のＵＩ画像の一例を示す図で、図７Ｂは、図７ＡのＵＩ画像において標準フォルダボタンをタッチした場合に表示されるＵＩ画像の一例を示す図である。また、図８は、図６の印刷処理において印刷対象画像に原稿サイズが規定されていない場合に表示させるＵＩ画像の一例を示す図である。
【００７０】
ユーザは、既存の印刷対象画像を印刷させる場合、例えば、まず図２のＵＩ画像２０のドキュメントファイリング機能選択ボタン２２をタッチする。そのタッチにより、図７Ａで例示したようなドキュメントファイリングモード用のＵＩ画像７０が表示される。ＵＩ画像７０には、標準フォルダ選択ボタン７１を含むフォルダ選択ボタン群のほか、各種動作を指定するための複数のボタンでなる動作指定ボタン群７２などが表示されている。
【００７１】
この例では、動作指定ボタン群７２は、本体ＨＤＤにスキャン画像を保存するためのボタン７２ａ、ＵＳＢメモリ等の外部メモリにスキャン画像を保存するためのボタン７２ｂ、ＵＳＢメモリからファイルを選択して印刷するためのボタン７２ｃ、及びＰＣやサーバ上の共有フォルダからファイルを選択して印刷するためのボタン７２ｄを含む。なお、ボタン７２ａ，７２ｂはＨＤＤやＵＳＢメモリにスキャン画像を取り込む処理を行うためのものであり、この処理によって取り込んだ画像も本処理例における印刷対象画像とすることができる。
【００７２】
以下、本体ＨＤＤ内の標準フォルダ内のファイルを印刷する場合を例にして説明するが、ＵＳＢメモリやサーバ内のファイルでも印刷装置１からの取得先が異なるだけで基本的な処理は同様である。なお、通信部１５を介してＰＣから印刷ジョブを受信して印刷する場合については、処理が異なるため、第４の実施形態として後述する。
【００７３】
まず、ユーザはＵＩ画像７０から標準フォルダ選択ボタン７１をタッチし、図７Ｂで例示するＵＩ画像７３を表示させる。ＵＩ画像７３には、ファイル「ａａｍｐｌｅ＿１６Ｐ」を含む上記標準フォルダ内のファイルの一覧と共に、各種動作を指定するための複数のボタンでなる動作指定ボタン群７５、選択されたファイルの一括印刷を実行するための一括印刷ボタン７６、選択されたファイルを削除するための削除ボタン７７、白黒で印刷する場合に選択するチェックボックス７８、及び印刷を実行するための印刷ボタン７９などが表示されている。
【００７４】
この例では、動作指定ボタン群７５は、設定を変更して選択されたファイルを印刷するためのボタン７５ａ、選択されたファイルを外部に送信するためのボタン７５ｂ、選択されたファイルの格納場所を移動するためのボタン７５ｃ、及び選択されたファイルの画像（プレビュー画像とは印刷設定が反映されていない点で基本的に異なるが同じとなるケースも存在する）を確認するためのボタン７５ｄを含む。さらに、動作指定ボタン群７５は、選択されたファイルの詳細情報（所謂、プロパティ）を見るためのボタン７５ｅや印刷後にそのファイルのデータを削除するためのチェックボックス７５ｆなども含む。
【００７５】
次いで、ユーザはＵＩ画像７３から例えばファイル「ａａｍｐｌｅ＿１６Ｐ」の左にあるチェックボックス７４を選択する。これにより、印刷対象ファイルを選択できる。このようにして印刷対象ファイルの選択等が完了した後、ユーザが印刷ボタン７９（又は一括印刷ボタン７６）のタッチを行うことで、印刷開始操作が制御部１０に伝えられる。
【００７６】
制御部１０は、印刷開始操作を受けると、図６で例示する処理手順により各部を制御して印刷を実行させる。まず、制御部１０の制御に従い、画像処理部１１に印刷対象画像としてファイル「ａａｍｐｌｅ＿１６Ｐ」を取得させる（ステップＳ３１）。
【００７７】
次に、制御部１０は、そのファイルが基準間隔情報を含んでいるか否かを判定する（ステップＳ３２）。例えば、写真ファイルなどは縦横のピクセル数の情報はもつものの、原稿サイズを規定するこの基準間隔情報はもっていないことが多い。また、Ｍｉｃｒｏｓｏｆｔ（登録商標）  Ｅｘｃｅｌなども基準間隔情報はもっていない。
【００７８】
基準間隔情報をもっている場合（ステップＳ３２でＹＥＳの場合）、制御部１０は、ステップＳ３５に進み、図３のステップＳ３〜Ｓ１２と同様の処理を実行する（ステップＳ３５〜Ｓ４４）。なお、ステップＳ３５〜Ｓ４４の説明は、ステップＳ３〜Ｓ１２の説明における「コピー」を「印刷」と読み替えれば済む。また、ステップＳ３５の直前、ステップＳ３８の直後、ステップＳ４０の直後などに後述するモノさし画像８２や変倍ボタン８３，８４などを含まない通常のプレビュー画像を表示させてユーザが設定変更を行えるようにしてもよい。
【００７９】
これにより、プレビュー画像８１でプレビュー表示させたファイル「ａａｍｐｌｅ＿１６Ｐ」の画像がそのファイルに含まれる基準間隔情報（原稿サイズ）の画像からステップＳ３７又はステップＳ４２で決定された変倍率で変倍された変倍画像が生成されると共に、さらにその変倍率を示すＱＲコード等の倍率情報が合成され、印刷物が出力されることになる。
【００８０】
一方、基準間隔情報をもっていない場合（ステップＳ３２でＮＯの場合）、制御部１０は、タッチパネル部１３ｂに指示し、図８で例示するＵＩ画像８０のようにプレビュー画像８１を表示させる（ステップＳ３３）。このＵＩ画像８０には、原稿サイズをユーザに指定させるために、図４Ｂのチェックボックス４６ｊと同様の倍率情報印刷の有無を指定するためのチェックボックス８９が表示されている。
【００８１】
また、ＵＩ画像８０には、プレビュー画像８１の近隣に若しくはプレビュー画像８１に重ねた位置に、スケールを示すモノさし画像８２を含むと共に、モノさし自体を変倍させるための変倍ボタン８３、原稿画像自体を変倍させるための変倍ボタン８４、プレビュー画像８１の表示を右又は左に９０度回転させて表示させるための回転表示ボタン８５、１ページ表示かサムネイル表示か立体表示かを切り替えるための表示切替ボタン８６、白黒印刷をスタートさせるための白黒スタートボタン８７、及びカラー印刷をスタートさせるためのカラースタートボタン８８などが表示されている。変倍ボタン８３，８４はいずれも、縮小させるための−ボタンと拡大させるための＋ボタンを有している。
【００８２】
ステップＳ３３に続き、ユーザはプレビュー画像８１又はモノさし画像８２を、それぞれ変倍ボタン８４又は変倍ボタン８３の＋／−ボタンをタッチしながら、プレビュー画像８１とモノさし画像８２との比率を変更することで原稿サイズ（基準となる２点の間隔）を決定する。制御部１０は、その変更の結果を入力することで原稿サイズを規定する（ステップＳ３４）。この原稿サイズが上述した基準間隔情報（例えば４００ｄｐｉなど）として採用される。なお、ユーザは、変倍ボタン８３及び変倍ボタン８４の一方ではなく双方を操作しながら比率を決めることもできる。無論、変倍ボタン８３，８４の一方を設けなくても比率を変更して原稿サイズを決定することはできる。
【００８３】
また、モノさし画像８２の代わりに、予め定めた印刷用紙サイズに対応する枠をプレビュー画像８１に重ねて表示させてもよい。その時点で印刷用紙サイズが選択されていた場合には、その枠はその選択された印刷用紙サイズに対応するサイズとすることが好ましい。このような枠も変倍ボタン８３のような＋／−ボタンによりそのサイズを変更できるようにしておけば、モノさし画像８２を表示させる場合と同様に比率を変更して原稿サイズを決定することができる。
【００８４】
制御部１０は、このようにして基準間隔情報を得た後、白黒スタートボタン８７又はカラースタートボタン８８のタッチを待ち、タッチがなされた段階で、ステップＳ３５へ進み、図３のステップＳ３〜Ｓ１２と同様の処理を実行する（ステップＳ３５〜Ｓ４４）。また、ステップＳ３８の直後、ステップＳ４０の直後などにモノさし画像８２や変倍ボタン８３，８４などを含まない通常のプレビュー画像を表示させてユーザが設定変更を行えるようにしてもよい。
【００８５】
これにより、プレビュー画像８１でプレビュー表示させたファイル「ａａｍｐｌｅ＿１６Ｐ」の画像が、ＵＩ画像８０においてモノさし画像８２との比率で示した原稿サイズの画像からステップＳ３７又はステップＳ４２で決定された変倍率で変倍された変倍画像が生成されると共に、さらにその変倍率を示すＱＲコード等の倍率情報が合成され、印刷物が出力されることになる。
【００８６】
また、図６の処理例は、原稿読取に関する処理を含まないため、印刷機能のみ有するプリンタ機器でも処理可能である。なお、本処理例で生成した印刷物を生成した場合において、具体的にどのように原寸大に戻すかの処理については、第２、第３の実施形態として後述する。
【００８７】
（第２の実施形態）
本発明の第２の実施形態について、図９及び図１０を参照しながら説明する。図９は、本実施形態に係る印刷装置の一構成例を示すブロック図で、図１０は、図９の印刷装置における印刷処理の一例を説明するためのフロー図である。本実施形態について、第１の実施形態との相違点を中心に説明するが、第１の実施形態で説明した様々な応用例も同様に適用できる。但し、本実施形態に係る印刷装置では、原稿読取部は必須となる。
【００８８】
本実施形態に係る印刷装置１ａは、第１の実施形態に係る印刷装置１において、生成した印刷物を原寸大に戻すことを可能に構成したものである。但し、その印刷物の生成を行う印刷装置と、原寸大に戻す処理を行う印刷装置とは、無論のこと異なる場所に設置されたものであってもよい。
【００８９】
図９に示すように、本実施形態における印刷装置１ａは、画像処理部１１、印刷部１２、及び原稿読取部１４を備えると共に、情報抽出部１０ａを備えるものとする。原稿読取部１４は、図１で説明した通り、原稿に印刷された原稿画像を光学的に読み取る。但し、本実施形態では上記原稿として倍率情報合成済みの印刷物を読み取り対象とする。
【００９０】
情報抽出部１０ａは、原稿読取部１４で読み取った原稿画像から倍率情報を抽出する部位であり、この例では制御部１０に含まれる。但し、情報抽出部１０ａは、例えば画像処理部１１の内部に設けることもできる。
【００９１】
本実施形態における画像処理部１１は、情報抽出部１０ａで倍率情報が抽出された場合、画像処理として、抽出された倍率情報に基づき、倍率情報を合成して印刷した際に元となった原稿（元原稿と呼ぶ）の原寸大のサイズ（変倍前のサイズ）になるように（戻すように）原稿画像を変倍することで、原寸大画像を生成し、印刷部に出力する。
【００９２】
実際には、原寸大画像を生成する際の変倍率は、制御部１０が情報抽出部１０ａで抽出した倍率情報に基づき、例えばその倍率情報に変倍率が含まれていればその変倍率の逆数を算出することで、或いは元々逆数が含まれていればその逆数を読み出すことで決定すればよい。このように、印刷装置１は、読み取った画像から原寸大のサイズを判定することが可能となっており、画像判定部を有するとも言える。
【００９３】
また、上記原寸大画像は、画像処理部１１により倍率情報が消去された画像であること、つまり、画像処理部１１は倍率情報を消去して上記原寸大画像を生成することが好ましい。ここで、画像処理部１１は、原稿読取部１４で読み取った原稿画像から倍率情報を消去してから変倍処理を施して原寸大画像としてもよいし、原稿読取部１４で読み取った原稿画像を変倍してから倍率情報の部分を消去して原寸大画像としてもよい。
【００９４】
以上、本実施形態によれば、変倍印刷された印刷物の複製物を作成するに際し、合成印刷された倍率情報を解釈してその倍率情報に基づき自動的に変倍処理が実行されるため、容易にその変倍印刷前の原寸大に戻すことが可能になる。例えば、本に印刷された衣服の型紙から実際に使用する型紙を作成する場合などに、有益に利用できる。
【００９５】
次に、図１０を参照しながら、変倍印刷された印刷物（図５Ｂの印刷物５３で例示）から原寸大に戻してコピーする場合を例に挙げ、本実施形態に係る印刷処理の具体例について説明する。ここでは、印刷物５３として、ＱＲコードが合成されている例を挙げるが、他の種類の倍率情報であっても同様である。
【００９６】
ユーザは、印刷物５３のコピーを行う場合、まず図２のＵＩ画像２０のコピー機能選択ボタン２１をタッチし、図４Ａで例示したようなコピーモード用のＵＩ画像４０が表示させる。その後、ユーザは白黒スタートボタン４６又はカラースタートボタン４７をタッチすることで、コピー開始操作が制御部１０に伝えられる。原稿となる印刷物５３はそのタッチの前に原稿台又はＡＤＦに載置しておけばよい。
【００９７】
制御部１０は、図１０で例示する処理手順により各部を制御して印刷を実行させる。まず、制御部１０は、コピー開始操作を受けたか否かを判定し（ステップＳ５１）、ＹＥＳとなった時点で、原稿読取部１４に指示して、印刷物５３の原稿画像を光学的に読み取る（ステップＳ５２）。
【００９８】
次いで、制御部１０の情報抽出部１０ａは、原稿読取部１４で読み取ったその原稿画像からＱＲコードの抽出処理（検索処理）を実行し、ＱＲコードが検出できたか否かを判定する（ステップＳ５３）。ステップＳ５３でＮＯの場合、通常通りの印刷処理を実行し（ステップＳ５７）、処理を終了する。
【００９９】
ステップＳ５３でＹＥＳの場合、制御部１０は、原稿読取部１４に指示してその原稿画像を画像処理部１１に伝送させると共に、画像処理部１１にＱＲコードを渡すか若しくは原稿画像におけるＱＲコードの位置を渡し、画像処理部１１に指示して原稿画像よりＱＲコードを除去させる（ステップＳ５４）。
【０１００】
次いで、情報抽出部１０ａは、ＱＲコードを復号し、その復号結果が示す変倍率又は変倍率の逆数に基づき、今回のコピー時の変倍率を設定する（ステップＳ５６）。印刷物５３の場合、原稿５１から０．７倍（７０％）に縮小されたものであるため、ステップＳ５６では、１．４１倍（１４１％）に拡大することが設定される。
【０１０１】
ステップＳ５６に続き、制御部１０は、画像処理部１１に指示して除去後の原稿画像を印刷部１２に伝送させると共に、印刷部１２に指示してその除去後の原稿画像を印刷させ（ステップＳ５７）、処理を終了する。ステップＳ５７においては、基本的に原寸大画像を印刷可能な印刷用紙サイズが自動的に決定され、そのサイズの印刷用紙が自動的に選択される。但し、元の型紙５２が原寸大となっていればよく、余白を残した上で原寸大画像の印刷物を出力したい場合もあるため、印刷用紙は、ユーザ選択可能にしておいてもよい。
【０１０２】
また、図１０において、ステップＳ５４の処理とステップＳ５５，Ｓ５６の処理との順序は問わない。また、ステップＳ５７での印刷用の原寸大画像の生成に関し、上述したようにＱＲコードの除去は変倍処理前でも変倍処理後でもよい。
また、ステップＳ５７の直前などに通常のプレビュー画像を表示させてユーザが設定変更を行えるようにしてもよい。
【０１０３】
以上の処理により、図５Ａで示したような衣服の型紙５２が描かれた原稿５１が印刷物として出力される。印刷装置１ａがＱＲコードを検出し、復号することで原寸大にするために必要な倍率情報をユーザが意識しなくてよくなる。なお、ステップＳ５３でＮＯの場合について説明した通り、倍率情報が抽出されなかった場合には、通常のコピー処理を実行すればよい。
【０１０４】
本処理例では、ＱＲコード等の変倍情報が存在した場合に無条件に原寸大画像を生成することを前提として説明した。但し、例えば、ＵＩ画像４０又はＵＩ画像４６において原寸大コピーを行うためのチェックボックスを表示しておき、そのチェックボックスにチェックが入った場合にのみ原寸大印刷を実行してもよい。
【０１０５】
つまり、印刷装置１ａは、倍率情報に基づき原寸大印刷を実行するか通常印刷を実行するかをユーザ操作に基づき設定する他の設定部を備えることが好ましい。この設定部は、図１では操作部１３及び制御部１０で例示したものであり、制御部１０内にその設定内容を記憶し、実行時に参照すればよい。また、上記他の設定部での設定は、原寸大印刷を実行するモードと通常印刷を実行するモードのうちいずれか１つを選ぶようなユーザ操作に基づいて実行するようにしてもよい。例えば、ＵＩ画像２０においてコピー機能選択ボタン２１と共に、原寸大での印刷を実行するための原寸大コピー機能選択ボタンを別途設けておき、それを選択した場合にのみ原寸大印刷を実行してもよい。
【０１０６】
（第３の実施形態）
本発明の第３の実施形態について、図１１を参照しながら説明する。図１１は、本実施形態に係る印刷装置で図５Ｂの原稿（印刷物５３）をさらに縮小（例として、０．８６倍に縮小）コピーした際の印刷用紙の一例を示す図である。本実施形態について、第２の実施形態との相違点を中心に説明するが、第２の実施形態で説明した様々な応用例も同様に適用できる。
【０１０７】
本実施形態では、図５Ｂの印刷物５３がさらに変倍コピーされた場合に原寸大に戻す処理について説明する。印刷装置１ａにおいて、印刷物５３がさらに変倍コピーされる場合には、図１０のステップＳ５２と同様に原稿画像を読み取り、その前後に変倍率をユーザが設定することになる。印刷装置１ａは、その設定された変倍率に基づき、ＱＲコードを除去せずに残したまま（ＱＲコードの抽出処理自体も不要）、変倍印刷を実行する。
【０１０８】
これにより、図５Ｂの印刷物５３を例えば０．８６倍に縮小コピーした場合、図１１で例示するような印刷物１１０が出力される。印刷物１１０には、型紙５２が７０％に縮小された縮小画像５４がさらに８６％に縮小された縮小画像１１１と共に、ＱＲコード５５が８６％に縮小された縮小ＱＲコード１１２が印刷されている。
【０１０９】
本実施形態に係る印刷装置１ａでは、このような印刷物１１０の原稿画像をステップＳ５２で読み取る。その場合、情報抽出部１０ａがステップＳ５６の設定処理において、ステップＳ５５で復号された縮小ＱＲコード１１２についてその変倍度合い（この例では縮小度合い）も考慮する必要がある。
【０１１０】
この例では、縮小ＱＲコード１１２と図１の印刷装置１で印刷する際のＱＲコードのサイズとを比較し、０．８６倍に縮小されていることを検出し、縮小ＱＲコード１１２自体が含む情報（０．７０倍という情報）と乗算することで、印刷物１１０が原寸大から０．６０倍されたものであることを求める。最終的に、情報抽出部１０ａは、ステップＳ５６において、原寸大画像となるためには変倍率として１．６６倍が必要であることを算出し、変倍率を１．６６倍に設定する。
【０１１１】
そして、本実施形態に係る画像処理部１１は、情報抽出部１０ａで倍率情報が抽出された場合、画像処理として、倍率情報及び所定サイズに基づき、倍率情報を合成して印刷した際に元となった元原稿の原寸大のサイズになるように原稿画像を変倍することで、原寸大画像を生成し、印刷部１２に出力する。このような処理により、図１１の印刷物１１０から図５Ａの原稿５１が復元できる。
【０１１２】
但し、上述したように、倍率情報は予め規定された所定サイズで印刷されること、つまり画像処理部１１は、倍率情報を合成して変倍印刷する場合、倍率情報として予め規定されたサイズの画像を合成することを、前提とする。
【０１１３】
また、本実施形態では、倍率情報を地紋などの小さいもので印刷する場合には縮小により潰れてしまってその倍率情報の印刷範囲（サイズ）の判定が困難となる可能性もあるため、ＱＲコードやバーコードなどの矩形領域に描かれる倍率情報の場合に有益となる。
【０１１４】
（第４の実施形態）
本発明の第４の実施形態について、図１２及び図１３を参照しながら説明する。図１２は、本発明の第４の実施形態に係る印刷処理の一例を説明するためのフロー図で、図１３は、図１２の印刷処理においてＰＣ側で表示させるＵＩ画像の一例を示す図である。本実施形態について、第１の実施形態との相違点を中心に説明するが、第１の実施形態で説明した様々な応用例も同様に適用できる。但し、本実施形態では印刷対象画像をファイルとするため、図３の処理例のように原稿読取処理を行う例ではなく図６の処理例のように原稿画像を取得する例が適用できる。
【０１１５】
本実施形態に係る印刷装置１は、通信部１５を介してコンピュータ（以下、ＰＣで例示）から印刷ジョブを受信して印刷する印刷処理を行う。そのため、ＰＣ側には、印刷装置１用のプリンタドライバがインストールされているものとする。
【０１１６】
このプリンタドライバは、ＰＣに、次の画像処理ステップと印刷指示ステップとを実行させるためのプログラムである。上記画像処理ステップは、印刷対象画像の変倍印刷を実行する場合（実行するに際し）、上記印刷対象画像を変倍することで変倍画像を生成すると共に、上記変倍印刷の変倍率（又は上記変倍率の逆数）を示す倍率情報を上記変倍画像に合成する。上記印刷指示ステップは、上記画像処理ステップで処理後の画像を印刷するように指示する。この指示に従い、印刷装置１は印刷を実行する。但し、この例における印刷装置１では、倍率情報が合成された印刷ジョブを印刷するため、図１で説明したような倍率情報合成処理等の処理は不要であり、一般的な印刷装置で対応することができる。
【０１１７】
次に、図１２を併せて参照しながら、このような印刷処理について説明する。ここでも、倍率情報としてＱＲコードを合成する例を挙げるが、他の種類の倍率情報であっても同様である。
【０１１８】
ユーザは、ＰＣ上で開いた或るアプリケーションのファイルを変倍印刷する場合、そのアプリケーションのＵＩとして含まれる印刷設定ボタンを選択するなどして、印刷設定処理に進む。この印刷設定処理では、まず、ＰＣに接続された印刷装置（この例ではプリンタＡとしている）用のプリンタドライバが、図１３のＵＩ画像１３０のような設定用ＵＩ画像をＰＣの表示部に表示させる。
【０１１９】
ＵＩ画像１３０には、選択時の設定内容で保存し、ＵＩ画像１３０を閉じて設定を完了させるためのＯＫボタン１３１、原稿の用紙サイズを選択するためのプルダウンメニュー１３２、ズーム設定領域１３３、及びポスター印刷する際にチェックするためのチェックボックス１３４が表示されている。
【０１２０】
ズーム設定領域１３３には、ズームなし（つまり変倍なし）で印刷するためのラジオボタン１３３ａ、印刷用紙サイズにフィットするような変倍率で変倍印刷するためのラジオボタン１３３ｂ、及び任意に変倍率を設定して変倍印刷するためのラジオボタン１３３ｃが表示されている。これらのラジオボタン１３３ａ〜１３３ｃはそのいずれか１つが選択可能になっている。
【０１２１】
また、ラジオボタン１３３ｂが選択された場合には、プルダウンメニュー１３２で選択された原稿（この例ではＡ４原稿）をどのサイズの印刷用紙で印刷させるかを選択するためのプルダウンメニュー１３３ｄも表示すればよい。ラジオボタン１３３ｃが選択された場合には、例えば任意の変倍率を入力可能な入力欄を表示するか、図４ＢのようなＵＩ画像をポップアップ画像として表示させるなどすればよい。さらに、ズーム設定領域１３３には、ラジオボタン１３３ｂ，１３３ｃのいずれかが選択された場合など、変倍処理が実行される場合に倍率情報を印刷するか否かをチェックするためのチェックボックス１３３ｅも表示しておく。
【０１２２】
ユーザがＵＩ画像１３０から印刷設定を行い、ＯＫボタン１３１を選択することで印刷設定が完了する。そして、上記アプリケーションのとして含まれる印刷ボタンを選択するなどして、印刷処理に進む。この印刷処理では、まず上記プリンタドライバが現在開いているファイルを印刷対象ファイルとして指定する（ステップＳ６１）。
【０１２３】
次いで、上記プリンタドライバが、図６のステップＳ３２〜Ｓ４０，Ｓ４２〜Ｓ４４と同様の処理を行い、ＱＲコードが合成された変倍画像を生成する（ステップＳ６２〜Ｓ７０，Ｓ７２〜Ｓ７４）。なお、ステップＳ６３のプレビュー画像の表示処理では、図８のＵＩ画像８０の中に記載したようなプレビュー画像８１、モノさし画像８２、変倍ボタン８３，８４を含むＵＩ画像を、ＰＣの表示画面に表示させればよい。このＵＩ画像には印刷開始ボタンを含めればよく、また、チェックボックス８９のような倍率情報の合成の有無をチェックするためのチェックボックスはチェックボックス１３３ｅが存在するため設けなくてもよい。
【０１２４】
ステップＳ７０の処理後は、上記プリンタドライバがＱＲコード合成後の変倍画像を印刷するための印刷ジョブを生成して、印刷装置（この例ではプリンタＡ）に送信する（ステップＳ７１）。これにより、プリンタＡからは、ステップＳ６１で指定されたファイルについて、変倍されＱＲコードが合成された印刷物が出力されることになる。
【０１２５】
（第５の実施形態）
本発明の第５の実施形態について、図９を再度参照しながら説明する。本実施形態について、第２の実施形態との相違点を中心に説明するが、第２、第３の実施形態で説明した様々な応用例も同様に適用できる。
【０１２６】
本実施形態に係る印刷装置は、第２の実施形態に係る印刷装置１ａから第１の実施形態に係る印刷装置１における倍率情報合成処理の機能を除いた装置である。つまり、本実施形態に係る印刷装置１ａは、印刷対象画像に画像処理を施す画像処理部１１と、画像処理部１１から上記画像処理を施した後の画像を入力し印刷する印刷部１２と、上記印刷対象画像として、原稿に印刷された原稿画像を光学的に読み取る原稿読取部１４と、原稿読取部１４で読み取った上記原稿画像から、変倍印刷時の変倍率又は上記変倍率の逆数を示す倍率情報を抽出する情報抽出部１０ａと、を備えている。
【０１２７】
そして、本実施形態における画像処理部１１は、情報抽出部１０ａで上記倍率情報が抽出された場合、上記画像処理として、上記倍率情報に基づき、上記倍率情報を合成して印刷した際に元となった元原稿の原寸大のサイズになるように上記原稿画像を変倍することで、原寸大画像を生成し、印刷部１２に出力する。
【０１２８】
なお、本実施形態に係る印刷装置としては、原稿読取処理が実行可能である必要はあるが、ＰＣ等の外部機器からの印刷処理が実行可能である必要はなく（つまり通信部１５は具備しなくてもよく）、コピー機能のみ有するコピー機でも適用できる。
【０１２９】
（第６の実施形態）
次に、本発明の第６の実施形態について説明する。第１〜第５の実施形態では、基本的に、変倍印刷として縦横比が固定された変倍率（基本倍率設定又は倍率自動選択）を採用した例を挙げて説明した。しかし、本発明はこれに限ったものではない。
【０１３０】
本実施形態では、図４Ｂにおけるたてよこ独立倍率タブ４６ｂとして簡単に説明したように、縦方向の倍率と横方向の倍率とを縦横比を固定せずに指定して変倍印刷する。
【０１３１】
その際、倍率情報を印刷する場合には、倍率情報には変倍印刷時の縦方向と横方向の双方の倍率（若しくは変倍印刷前の原寸大に戻すための倍率）を示す情報を印刷しておけば、二次的なコピーを行った場合でもそれらの倍率に基づき原寸大での印刷が可能となる。すなわち、縦横比を固定しない場合、上述した各実施形態は、縦方向と横方向の双方の倍率を取り扱うように処理を変更しさえすれば同様に適用できる。例えば、基準間隔情報についても、縦方向、横方向のそれぞれに対して基準となる２点間隔を示す情報が含まれていればよく、含まれない場合にはユーザにそれぞれ指定させればよい。
【０１３２】
（第７の実施形態）
本発明の第７の実施形態について、再度図１，図９を参照しながら説明する。第１〜第６の実施形態では、基本的に、倍率情報合成処理を行う際の印刷対象画像が原寸大であることを前提として説明した。しかし、本発明はこれに限ったものではなく、印刷対象画像は原寸大ではない画像であってもよい。以下、本実施形態について、第１、第４の実施形態や第２、第５の実施形態との相違点を中心に説明するが、それらの実施形態で説明した様々な応用例や他の実施形態で説明した様々な応用例も同様に適用できる。
【０１３３】
まず、第１の実施形態に係る印刷装置１や第４の実施形態に係るプリンタドライバでは、印刷対象画像を変倍印刷するに際し、その印刷対象画像の変倍画像に、その印刷対象画像から変倍画像への変倍率（又は変倍率の逆数）を示す情報である倍率情報を合成して出力した例を挙げて説明した。
【０１３４】
これに対し、本実施形態に係る印刷装置１における画像処理部１１は、印刷部１２にて印刷対象画像の印刷を実行する場合、画像処理として、倍率情報を上記印刷対象画像に合成し、印刷部１２に出力する。また、本実施形態に係るプリンタドライバにおける画像処理ステップは、印刷対象画像の印刷を実行する場合、倍率情報をその印刷対象画像に合成する。換言すれば、第１、第４の実施形態における倍率情報は、変倍印刷時の変倍率又はその変倍率の逆数を示す情報に限ったが、本実施形態における倍率情報は、原寸大のサイズからの変倍率又はその変倍率の逆数を示す情報であると言える。
【０１３５】
一例として、ＰＣ上のＣＡＤ（computer aided design）アプリケーションにおいて、原寸大の１／２サイズの図面データを作成し、それを印刷装置１で読み出して（或いはＰＣのプリンタドライバから）そのまま（原寸大の１／２で）印刷する場合について説明する。この場合、原寸大の０．５倍で印刷されていることを示す情報（又は原寸大にする場合には２倍にすることを示す情報）を倍率情報として印刷対象画像に合成すればよい。このようにして出力された印刷物は、原寸大の１／２のサイズであり、原寸大に戻すための倍率情報が合成印刷されていることになる。
【０１３６】
また、第２、第５の実施形態に係る印刷装置１ａでは、倍率情報から原寸大画像を生成するに際し、倍率情報を合成して印刷した際に元となった元原稿の原寸大のサイズになるように原稿画像を変倍した例を挙げた。
【０１３７】
これに対し、本実施形態に係る印刷装置１ａにおける画像処理部１１は、情報抽出部１０ａで倍率情報が抽出された場合、画像処理として、その倍率情報に基づき原寸大のサイズになるように原稿画像を変倍することで、原寸大画像を生成する。
【０１３８】
上述したＣＡＤアプリケーションの例では、上記印刷物には倍率情報として０．５倍を示す情報（又は２倍を示す情報）が含まれているため、その倍率情報に基づき２倍で印刷して原寸大の複製物を出力させればよい。
【０１３９】
以上、本実施形態によれば、印刷物の複製物を作成するに際し、合成印刷された倍率情報を解釈してその倍率情報に基づき自動的に変倍処理が実行されるため、容易に原寸大に戻すことが可能になる。
【０１４０】
（その他）
以上、第１〜第３、第５〜第７の実施形態として印刷装置における処理の流れを説明したように、本発明は、印刷装置における印刷方法や、その印刷方法を印刷装置の制御部のコンピュータに実行させるためのプログラムとしての形態も採り得る。
【０１４１】
第１、第７の実施形態に係る印刷装置における印刷方法は、次の画像処理ステップ及び印刷ステップを有する。上記画像処理ステップは、印刷対象画像の印刷を実行する場合、印刷装置の画像処理部が、倍率情報を上記印刷対象画像又は上記印刷対象画像の変倍画像に合成するステップである。上記印刷ステップは、印刷装置の印刷部が、上記画像処理ステップで処理後の画像を入力し印刷するステップである。その他の応用例については、第１〜第３、第６、第７の実施形態において説明した通りであり、その説明を省略する。なお、第２の実施形態に係る印刷装置における印刷方法は、第１、第７の実施形態に対応する印刷方法に後述する第５の実施形態に対応する印刷方法を組み合わせたものである。
【０１４２】
この印刷方法を印刷装置の制御部のコンピュータに実行させるためのプログラム（ファームウェア）は、第４、第７の実施形態で説明したプリンタドライバと同等の処理を印刷装置側だけで行う処理プログラムであると言える。つまり、このプログラムは、上記制御部のコンピュータに、次の画像処理ステップ及び印刷指示ステップを実行させるためのプログラムである。上記画像処理ステップは、印刷対象画像の印刷を実行する場合、倍率情報を上記印刷対象画像又は上記印刷対象画像の変倍画像に合成するステップである。上記印刷指示ステップは、上記画像処理ステップで処理後の画像を印刷するように印刷装置の印刷部に指示するステップである。その他の応用例については、第１〜第３、第６、第７の実施形態において説明した通りであり、その説明を省略する。
【０１４３】
第５、第７の実施形態に係る印刷装置における印刷方法は、次の原稿読取ステップ、情報抽出ステップ、画像処理ステップ、及び印刷ステップを有する。上記原稿読取ステップは、上記印刷装置の原稿読取部が、原稿に印刷された原稿画像を（印刷対象画像として）光学的に読み取るステップである。情報抽出ステップは、上記印刷装置の情報抽出部が、上記原稿読取ステップで読み取った上記原稿画像から倍率情報を抽出するステップである。上記画像処理ステップは、上記情報抽出ステップで上記倍率情報が抽出された場合、上記印刷装置の画像処理部が、上記倍率情報に基づき原寸大のサイズになるように上記原稿画像を変倍することで、原寸大画像を生成するステップである。上記印刷ステップは、上記印刷装置の印刷部が、上記原寸大画像を入力し印刷するステップである。その他の応用例については、第５〜第７の実施形態において説明した通りであり、その説明を省略する。
【０１４４】
この印刷方法を印刷装置における制御部のコンピュータに実行させるためのプログラム（ファームウェア）は、上記制御部のコンピュータに、次の読取指示ステップ、情報抽出ステップ、画像処理ステップ、及び印刷指示ステップを実行させるためのプログラムである。上記読取指示ステップは、上記印刷装置の原稿読取部に対し、原稿に印刷された原稿画像を（印刷対象画像として）光学的に読み取るように指示するステップである。上記情報抽出ステップでは、上記読取指示ステップに従って読み取られた上記原稿画像から倍率情報を抽出するステップである。上記画像処理ステップは、上記情報抽出ステップで上記倍率情報が抽出された場合、上記倍率情報に基づき原寸大のサイズになるように上記原稿画像を変倍することで、原寸大画像を生成するステップである。換言すれば、上記画像処理ステップは、原寸大画像を生成するように上記印刷装置の画像処理部に指示するステップである。上記印刷指示ステップは、上記原寸大画像を印刷するように上記印刷装置の印刷部に指示するステップである。その他の応用例については、第５〜第７の実施形態において説明した通りであり、その説明を省略する。
【０１４５】
また、第４、第７の実施形態としてコンピュータに組み込むプリンタドライバにおける処理の流れを説明したように、本発明は、コンピュータから印刷装置で印刷する印刷方法としての形態も採り得る。
【０１４６】
この印刷方法は、次の画像処理ステップ及び印刷ステップを有する。上記画像処理ステップは、印刷対象画像の印刷を実行する場合、コンピュータにおける画像処理部（つまり、プリンタドライバの画像処理プログラム）が、倍率情報を上記印刷対象画像又は上記印刷対象画像の変倍画像に合成するステップである。上記印刷ステップは、印刷装置の印刷部が、上記画像処理ステップで処理後の画像を入力し印刷するステップである。その他の応用例については、第４、第６、第７の実施形態において説明した通りであり、その説明を省略する。
【０１４７】
また、上述した様々な形態のプログラム（ファームウェア又はプリンタドライバ）をコンピュータにより読み取り可能な記録媒体（非一時的な記録媒体）に記録したプログラム記録媒体としての形態についても容易に理解することができる。このコンピュータとしては、上述したように、汎用のＰＣに限らず、印刷装置の制御部として機能するマイクロコンピュータやプログラム可能な汎用の集積回路／チップセットなど、様々な形態のコンピュータが適用できる。また、このプログラムは、可搬の記録媒体を介して流通させるに限らず、インターネット等のネットワークを介して、また放送波を介して流通させることもできる。ネットワークを介して受信するとは、外部サーバ装置の記憶装置などに記録されたプログラムを受信することを指す。
【符号の説明】
【０１４８】
１，１ａ…印刷装置、１０…制御部、１０ａ…情報抽出部、１１…画像処理部、１２…印刷部、１３…操作部、１３ａ…キー操作部、１３ｂ…タッチパネル部、１４…原稿読取部、１５…通信部、１６…外部メモリ接続部。
【図１】
2015144371.tif 000003
【図２】
2015144371.tif 000004
【図３】
2015144371.tif 000005
【図４Ａ】
2015144371.tif 000006
【図４Ｂ】
2015144371.tif 000007
【図５Ａ】
2015144371.tif 000008
【図５Ｂ】
2015144371.tif 000009
【図６】
2015144371.tif 000010
【図７Ａ】
2015144371.tif 000011
【図７Ｂ】
2015144371.tif 000012
【図８】
2015144371.tif 000013
【図９】
2015144371.tif 000014
【図１０】
2015144371.tif 000015
【図１１】
2015144371.tif 000016
【図１２】
2015144371.tif 000017
【図１３】
2015144371.tif 000018